(57)【特許請求の範囲】
【請求項１】
筐体内に複数の電気器具を配置するとともに前記複数の電気器具間をケーブルルーティングするための３次元図形配置支援装置において、
外部から入力された操作指示に基づいて、外部記憶装置に記憶されている筐体図形データファイルから前記筐体の３次元図形データを読出し、前記外部記憶装置に記憶されている電気器具図形データファイルから前記複数の電気器具の３次元図形データを選択し、前記外部記憶装置に記憶されているケーブル接続情報ファイル内における前記筐体に組み込まれる器具図形間のケーブル接続情報を読出し、
前記ケーブル接続情報を基に、前記筐体に配置された前記複数の電気器具間でのケーブルルーティングを行った３次元図形データを作成するケーブルルーティング処理手段と、
前記筐体に配置された前記複数の電気器具間でのケーブルルーティングを行った３次元図形データを電気器具配置パネル単位で分割すると共に、この分割単位毎の電気器具情報及びケーブルルートをリスト表として抽出する手段と
を具備することを特徴とする３次元図形配置支援装置。
【発明の詳細な説明】
【０００１】
【発明の属する技術分野】
本発明は、筺体内に複数の電気器具を配置すると共に該器具間をケーブルルーテングするための３次元図形配置支援装置に係り、特に、ケーブルルーテング後の電気器具間のルート情報を配置パネル単位又は複数単位で抽出し、製造作業におけるケーブルルートの検索を省力化するようにした３次元図形配置支援装置に関する。
【０００２】
【従来の技術】
例えば、配電盤内には多数の電気部品、電気器具（以下「器具」と称する。）が使われ、何百本もの配線処理が行なわれている。製造に際しては、３次元上で処理された何百本のケーブルルートに従った配線作業を、作業者は、効率的且つミス配線がないように作業する必要がある。
【０００３】
かかる要請の下、製造作業の均等化を図るために、配置パネルをユニット化して器具、個数、配線ルートに関する情報を抽出できる３次元図形配置支援装置が従来から用いられている。
【０００４】
図１２は、従来の３次元図形配置支援装置の概略構成図であり、ＣＡＤ等で構成された３次元図形装置１に、ディスプレイ装置２と、キーボードやマウス等からなる操作部３とが接続されている。
【０００５】
３次元図形装置１内には、図１３に示すように、図示しない別のＣＡＤで作成された各筺体の３次元図形データを記録する筺体図形データファイル３０と、各筺体に組込むべき各器具の３次元図形データを記録する器具図形データファイル３１と、各器具間のケーブルの接続情報を記録するケーブル接続情報ファイル３２と、各器具間のケーブル測長結果を記録するケーブル測長データファイル３３とが構成されている。
【０００６】
そして、３次元図形配置の操作者は、図１３に示す流れ図に従って、各器具の筺体内への配置とケーブルルーテング及びユニット図の作成操作とを実施する。
【０００７】
先ず、操作者は、操作部３を操作して筺体図形データファイル３０から一つの筺体の３次元図形データを選択してディスプレイ装置２の表示画面上に読出す。
【０００８】
次に、ステップＳ１として、筺体内に３次元的に組込むべき各器具の３次元図形データを器具図形データファイル３１から選択してディスプレイ装置２の表示画面上へ読出す。そして、ステップＳ２として、このディスプレイ装置２の表示画面上に読出された器具の３次元図形データを、例えばマウス等を用いて組合せる。その後、ステップＳ３として、各器具が正常に動作するように筺体の３次元図形データ内で各器具の位置を修正する。
【０００９】
次に、ステップＳ４，Ｓ５として、ケーブル接続情報ファイル３２を読出し、各３次元図形データ内の器具情報及び端子ピン情報を基にケーブルのルーテングを自動的に処理する。
【００１０】
次に、ステップＳ６として、ケーブルルーテングされた各器具間のケーブルの測長結果を測長データファイル３３に記録する。次に、ステップＳ７，Ｓ８，Ｓ９として、器具を組込んだこの筺体を、２次元図形でディスプレイ装置２の表示画面上に、筺体の外観、また、筺体内に組込んだ器具の実装別に製図作業する。また、ステップＳ１０として、筺体内に組込んだ器具を、配置パネル単位及び組合せ単位にユニット分割し、製図作業する。
【００１１】
【発明が解決しようとする課題】
上述したように従来の３次元図形配置支援装置では、製造作業の均等化を図るために、配置パネルをユニット化して器具、個数、配線ルートに関する情報を抽出できるものとなっている。
【００１２】
しかし、上述した３次元図形配置支援装置にあっては、未だ解決するべき次のような課題があった。すなわち、数百本ものケーブルをルーテングしたルートに従って作業を行うため、全体を表示した完成ケーブルルーテング図の立体製図を見て配線作業を行うことになり、面倒である。
【００１３】
また、ユニット分割した製図とケーブルルーテング情報とが活かされていなく、製造作業を進める上での配線ルートの検索に時間が掛かり、配線作業が低下する問題があった。この場合、ユニット単位で作業を進める場合にも同様の問題が生ずる。
【００１４】
本発明の目的は、筺体内に組込んだ器具間のケーブルルーテング情報と、器具配置パネルのユニット分割ファイルを組込んだユニット情報データファイルとを組込むことにより、製造作業のケーブルルート検索の省力化が可能な３次元図形配置支援装置を提供することにある。
【００１５】
【課題を解決するための手段】
本発明は、筐体内に複数の電気器具を配置するとともに複数の電気器具間をケーブルルーティングするための３次元図形配置支援装置に適用される。
【００１６】
上記課題を解決するため、本発明においては、外部から入力された操作指示に基づいて、外部記憶装置に記憶されている筐体図形データファイルから筐体の３次元図形データを読出し、外部記憶装置に記憶されている電気器具図形データファイルから複数の電気器具の３次元図形データを選択し、外部記憶装置に記憶されているケーブル接続情報ファイル内における筐体に組み込まれる器具図形間のケーブル接続情報を読出す。また、本発明においては、ケーブル接続情報を基に、筐体に配置された複数の電気器具間でのケーブルルーティングを行った３次元図形データを作成するケーブルルーティング処理手段と、筐体に配置された複数の電気器具間でのケーブルルーティングを行った３次元図形データを電気器具配置パネル単位で分割すると共に、この分割単位毎の電気器具情報及びケーブルルートをリスト表として抽出する手段とを具備する。これにより、作業者は、ユニット分割されたユニット内において他ユニットに渡るケーブルルートのダクト内の出口が認識されるようになる。
【００１７】
従って、製造作業である配線作業を行う上で、３次元でルーテングした立体製図を出力することなく、作業者は、ケーブルルートの行先表示リストに従った作業を行うことができる。また、本発明では、はユニット分割することにより、ルート検索のスピード化が図られ、また器具、個数、ケーブル本数の情報が分かり、作業の均等化において手助けとなる。
【００１８】
【発明の実施の形態】
以下本発明の一実施形態を図面を用いて説明する。
【００１９】
図１は本発明の一実施形態に係わる３次元図形配置支援装置の概略構成を示すブロック図である。本実施形態の３次元図形配置支援装置は、コンピュータ等の情報処理装置で構成されている。そして、例えば、ＨＤＤ等の外部記憶装置内には、筺体図形データファイル４、器具図形データファイル５、ケーブル接続情報ファイル６、ケーブル加工情報ファイル７、配置器具入力データファイル８、ユニット分割ファイル９、２次元図形ユニット情報データファイル１５が構成されている。
【００２０】
さらに、３次元図形配置支援装置内には、ＣＲＴ表示装置等に構成された表示部１６、キーボード、マウス等で構成された操作部１７が組込まれている。さらに３次元図形配置支援装置内にあって、そのアプリケーションプログラム上にはは、器具入力部１０、器具配置部１１、ケーブルルーテング処理部１２、ユニット指示部１３、製図部１４が、プログラムモジュールとして形成されている。
【００２１】
ここで、各ファイルに記憶される情報について説明する。すなわち、筺体図形データファイル４内には、例えば、配電盤等からなる複数の筺体の各３次元図形データ３４が記憶されている。また器具図形データファイル５内には、筺体内に組込むべき複数の物体としての器具の各３次元図形データ３５が記憶されている。さらにケーブル接続情報ファイル６内には、筺体内に組込んだ器具図形間のケーブル接続情報３６が記憶されている。
【００２２】
また、ケーブル加工情報ファイル７内には、器具間のケーブルルーテング処理後のケーブル番号、ピン番号、ユニット番号、ケーブル長さに関するケーブル加工データ３７が記憶されている。配置器具入力データファイル８内には、筐体内に配置すべき器具についてのデータが記憶されている。さらにユニット分割ファイル９内には、分割指示した筺体内に準備された配置パネルの３次元図形データがユニットデータ３８として記憶されている。また２次元図形ユニット情報データファイル１５内には、ユニット指示されたユニットデータ単位でのケーブルルート情報や器具配置個数情報が記憶されている。
【００２３】
ここで、器具図形データファイル５の器具図形データ３５（３次元器具図形データ１８）は、図３、図４に示すケーブルルーテングの基準となる座標系ピン番号２０，２０Ａと器具番号パラメータ１９とが数字、文字にて形成されている。座標系ピン番号はケーブル接続情報のピン番号と同一である。
【００２４】
尚、操作者は、器具入力部１０により、器具図形データファイル５から器具図形を呼び出し、必要に応じて表示部１６に表示して、配置器具入力データファイル８にデータ入力する。
【００２５】
以上のようなファイル構成の下で、図２に示す流れに沿って、操作者又は作業者は次のように操作する。すなわち、ステップＴ１として、操作者は、操作部１７を操作して、筐体図形データファイル４から一つの筐体データを選択する。次に、ステップＴ２として、操作部１７により器具図形データファイル５から必要な器具図形データを選択する。次に、ステップＴ３として、操作部１７により器具図形データの選択を行う。次に、ステップＴ４として、器具配置部１１にて配置作業を実行する。次に、ステップＴ５として、器具図形データに器具を割り付ける。次に、ステップＴ６として、ケーブル接続情報ファイルからのデータ読み出しをする。
【００２６】
以上の操作の後に、ステップＴ７として、ケーブルルーテング処理部１２にて、具器具間のケーブルルーティングを開始する。次に、ステップＴ８として、操作部１７により、筐体データファイルから一つの筐体データを選択する。次に、ステップＴ９として、ユニット指示部１３により、配置パネルの分割指示とユニット割付指示を行う。
【００２７】
以上の操作の例として、例えば、図５に示すように、３次元器具配置パネル図形データ２２，２２Ａ，２２Ｂに配置した３次元器具図形データ１８Ａ１〜１８Ｃ２は、ケーブル接続情報６を基にケーブルルーテングが行われる。尚、図５における（ｂ）は、正面図である（ａ）におけるＩ−Ｉ矢視方向から見た図である。処理後は、図５に示す各器具間の３次元ケーブル図形データ２４，２４Ａ，２４Ｂが作成される。ここで、図５及び図６において、２１，２１Ａ，２１Ｂは、３次元ケーブルダクト図形データを示している。そして、図５に基づく図６に示すケーブル加工情報（分割前の）が作成される。
【００２８】
このように作成された分割前ケーブル加工情報を基に、図７及び図８で示すように３次元器具配置パネル２２と３次元器具配置パネル２２Ａをユニット指示することにより、ユニット分割ファイルが作成され、ユニット単位毎のケーブル情報が作成される。尚、図７及び図８における（ａ）（ｂ）は正面図及び側面図である。尚、図７における（ｂ）は、正面図である（ａ）における▲２▼−▲２▼矢視方向から見た図であり、また図８における（ｂ）は、正面図である（ａ）における▲３▼−▲３▼矢視方向から見た図である。
【００２９】
ケーブル加工情報２３には、器具番号や座標系ピン番号、また相手先の器具番号、ピン番号、そしてケーブル長さが情報として抽出される。
【００３０】
以後、ステップＴ１０として、製図部１４にて製図を開始し、ステップＴ１１として、ユニット図を作成し、必要に応じ表示部１６に該ユニット図を表示する。次に、ステップＴ１２として、製図部１４による製図が終了となる。そして、ステップＴ１３として、製図したユニット図を、各ファイルを構成している外部記憶装置等に記憶保存する。
【００３１】
図９及び図１０は、製図されたリスト情報を示しており、各ユニット毎の図面を２次元図形ユニット情報データファイル１５から呼び出し、器具配置個数や配置位置そしてケーブルルートがリストとして作成されたものとなっている。
【００３２】
ここで、２５Ａ１〜２５Ｃ２は２次元器具図形データを示し、２６，２６Ａ，２６Ｂは２次元器ケーブルダクト図形データを示し、２８，２８Ａは２次元器具配置パネルデータを示している。
【００３３】
図１０に示すように、ケーブルルートは、ユニット別ケーブル行先リスト表にて、ユニット化したユニットからケーブルが他ユニットに出て行くダクト２６Ａ，２６Ｂの出口部分に、ケーブル出口Ａ２７Ａ，ケーブル出口Ｂ２７Ｂ，ケーブル出口Ｃ２７Ｃ，ケーブル出口Ｄ２７Ｄを設定し、それぞれの出口を経由したケーブルが、リストとして抽出され、紙出力又は表示される。
【００３４】
この場合、図１１に示すように、ケーブルには予めケーブル番号、出口番号がシール等で付されており、作業に際し、作業者は、ケーブルに付されたケーブル番号、出口番号を参照しつつ、図１０に示すリストに従って配線処理を行うようにする。
【００３５】
以上のように、本実施形態によれば、製造作業である配線作業を行う上で、３次元でルーテングした立体製図を出力する必要がなく、作業者は、図１０に示すようなケーブルルートの行先表示リストに従って配線作業を行うことができる。また、本実施形態では、ユニット分割し、ルート検索はユニット毎に行うようにしているので、全体としてルート検索の時間は短縮され、また器具、個数、ケーブル本数の情報を容易に知り得るので、作業の均等化において手助けとなる。
【００３６】
【発明の効果】
以上説明したように本発明によれば、ケーブルルーテングした例えば数百本のケーブルのルート検索をユニット分割指示と共に出口情報としてリスト化して抽出し、例えば表示することができるので、製造作業に関する配線ルートの検索作業を省力することができ、また作業量の均等化を図ることが可能な３次元図形配置支援装置を提供できるものである。
【図面の簡単な説明】
【図１】本発明の一実施形態の３次元図形配置支援装置の概略構成を示すブロック図。
【図２】同実施形態の３次元図形配置支援装置の動作を示す流れ図。
【図３】３次元器具図形データを示す模式図。
【図４】同実施形態の３次元図形配置支援装置における器具の３次元図形データの属性データに設定されたケーブルルーテングに必要な属性データを示す図。
【図５】同実施形態の３次元図形配置支援装置におけるケーブルルーテングした３次元器具配置図形データを示す図。
【図６】図５における３次元器具配置図形のケーブルルーテングしたケーブル加工情報を示す図。
【図７】図５における３次元器具配置図形の一部をユニット化した３次元器具配置図形データを示す図。
【図８】図５における３次元器具配置図形の一部をユニット化した３次元器具配置図形データを示す図。
【図９】図７におけるユニット化した３次元器具配置図形データを２次元図形の指示書を示す図。
【図１０】図７におけるユニット化した３次元器具配置図形データのユニットケーブル行先リストを示す図。
【図１１】本実施形態におけるケーブルを示す図。
【図１２】従来の３次元図形配置支援装置の概略構成を示すブロック図。
【図１３】同従来の３次元図形配置支援装置の動作を示す流れ図。
【符号の説明】
４…筺体図形データファイル
５…器具図形データファイル
６…ケーブル接続情報ファイル
７…ケーブル加工情報ファイル
８…配置器具入力データファイル
９…ユニット分割ファイル
１０…器具入力部
１１…器具配置部
１２…ケーブルルーテング処理部
１３…ユニット指示部
１４…製図部
１５…２次元図形ユニット情報データファイル
１６…表示部
１７…操作部
【図１】
0003655493.tif 000002
【図２】
0003655493.tif 000003
【図３】
0003655493.tif 000004
【図４】
0003655493.tif 000005
【図５】
0003655493.tif 000006
【図６】
0003655493.tif 000007
【図７】
0003655493.tif 000008
【図８】
0003655493.tif 000009
【図９】
0003655493.tif 000010
【図１０】
0003655493.tif 000011
【図１１】
0003655493.tif 000012
【図１２】
0003655493.tif 000013
【図１３】
0003655493.tif 000014